(57)【要約】【課題】  原稿サイズを自動で判定できる画像読取装置において、判定用に付けられたホワイトシート上の印または模様をなくし、ホワイトシート淵の外側に取り付けた発光源を原稿台に照射し、それを読み取りセンサで読み取ることで原稿サイズの判定を可能にすること。【解決手段】  原稿を抑えるホワイトシートと、前記ホワイトシートの読取範囲以外に１つ以上の光源を含む厚板部と、原稿が載置される透明な原稿台と、前記原稿台下のライン方向に配置された点光源アレイ照明と、照明された原稿の反射光を受光する受光素子を含む読取部と、前記読取部を副走査方向に原稿台上の原稿と相対的に移動する駆動部と、前記圧板上に設置された光源からの照射光を前記読取部で取得し記憶する記憶部と、前記記憶部で取得した情報から特定の閾値に準じて前記原稿台に設置された原稿の有無を判断する判断部と、前記判断部で取得した情報から設置された原稿サイズを推定する原稿サイズ検知部と、を有することを特徴とする。【選択図】  図１
2020136975.tif 000002
【特許請求の範囲】
【請求項１】
原稿を抑えるホワイトシートと、
前記ホワイトシートの読取範囲以外に１つ以上の光源を含む厚板部と、
原稿が載置される透明な原稿台と、
前記原稿台下のライン方向に配置された点光源アレイ照明と、
照明された原稿の反射光を受光する受光素子を含む読取部と、
前記読取部を副走査方向に原稿台上の原稿と相対的に移動する駆動部と、
前記圧板上に設置された光源からの照射光を前記読取部で取得し記憶する記憶部と、
前記記憶部で取得した情報から特定の閾値に準じて前記原稿台に設置された原稿の有無を判断する判断部と、前記判断部で取得した情報から設置された原稿サイズを推定する原稿サイズ検知部と、
を有することを特徴とする画像読取装置。
【請求項２】
画像読取時に前記厚板上の光源を消灯し画像を読み取る制御手段を持つことを特徴とする請求項１に記載の画像読取装置。
【請求項３】
ホワイトシートの読取範囲外に設置させた光源から、照射光を画像読取範囲内に導くための導光部を含むことを特徴とする請求項１に記載の画像読取装置。
【発明の詳細な説明】
【技術分野】
【０００１】
本発明は、画像読取装置の原稿サイズ検知方法に関する。
【背景技術】
【０００２】
従来の原稿サイズ検知装置として特許文献１に開示されているように、副走査方向の原稿サイズ検知において厚板に設置されるホワイトシートの定型サイズ位置に黒マークを付加し、原稿台にセットされた用紙サイズにより遮蔽または露出される黒マークを読取センサで読み取ることで原稿サイズを判定する手段がある。また特許文献１の類似手法として特許文献２に開示されているように、ホワイトシートにモアレパターン（高周波線）を付加し、それを読取センサで原稿を読み取り、パターン周波数の変化をエッジとして検出することで原稿サイズを判定する手段がある。
【先行技術文献】
【特許文献】
【０００３】
【特許文献１】特開２００３−１６６８１２号公報
【特許文献２】米国特許第９０３６２２３号明細書
【発明の概要】
【発明が解決しようとする課題】
【０００４】
特許文献１、２で示す原稿サイズ検知手段は、ホワイトシートに設けた白以外の印や模様により読取原稿が薄いなどの理由で画像読取時に裏映りが発生し読取画像品質に影響が出る課題がある。
【課題を解決するための手段】
【０００５】
上記の課題を解決するために、本発明に係る画像読取装置は、
圧板上面に少なくとも一つ以上の発光源を持つことを特徴とし、副走査方向の原稿サイズ検知時に前記発光源を点灯し、透過光の明度を読取部で取得することで原稿サイズを判定する。つまり、定型サイズ位置に光を照射できるように圧板側に光源（例えばＬＥＤ）を設置し、副走査方向の読み取り時にその光源の明度を検出することで原稿サイズ検知を行う。この光源の設置位置は読み取り時に裏映りしないようにホワイトシートの読取範囲外に設置し、原稿の読取時はその光源を消灯して画像読取りを実施する。
【発明の効果】
【０００６】
本発明に係る画像読取装置によれば、副走査方向の原稿サイズ検知に用いる厚板側の光源を原稿読取範囲外に設置し、画像読取時に厚板側の光源を消灯して読取を実施することで裏映りを防止できる。
【図面の簡単な説明】
【０００７】
【図１】画像読取装置の正面概略図
【図２】画像読取装置の側面概略図
【図３】副走査原稿サイズ検知用の発光源の位置
【図４】読取部構成概略図
【図５】主走査原稿幅検知のフローチャート
【図６】主走査原稿幅検知の手法
【図７】原稿サイズ検知のフローチャート
【図８】原稿サイズ判定テーブル
【図９】光源１／２の調光／閾値調整フローチャート
【発明を実施するための形態】
【０００８】
以下、本発明を実施するための形態について、図面を参照しながら説明する。
【実施例１】
【０００９】
図１〜図９は、本発明の画像読み取り装置、原稿サイズ検出方法及び原稿サイズ検出プログラムの一実施例を示す図であり、図１は、本発明の画像読み取り装置、原稿サイズ検出方法及び原稿サイズ検出プログラムの一実施例を適用した正面概略構成図である。図２はその側面概略構成図である。
【００１０】
図１において画像読取装置１で圧板側に少なくとも一つ以上の光源１１ａ及び１１ｂを設置する。光源１１ａ／１１ｂは一般的なＬＥＤでも良い。光源１１ａ／１１ｂは圧板を閉じた状態で副走査方向の原稿サイズ検知時に原稿台１３の定型サイズ位置を照射可能で、尚且つ画像の読取時には裏映りを防止するためにホワイトシートの画像読取範囲外に設置することを特徴とする。
【００１１】
また図２に示すように、前記光源１１ａ及び１１ｂの設置位置として原稿台１３に照射した時に読取部１４でより光を検知し易くするために原稿台１３に対して斜めに設置しても良い。また、圧板を閉めた時に光源１１ａ及び１１ｂの照射した光が原稿台に透過できるように用紙の位置合わせのガイド１５に透過用の導光路１６を設けても良い。前記導光路１６は光源１１ａ及び１１ｂ各々対して設けても良い。
【００１２】
図３に示すように光源１１ａ／ｂは厚板を閉じ原稿台１３に対して光を照射した時にＡＢ仕向けまたはＩＮＣＨ位向けの定型サイズを判別可能な位置として読み取り原点から副走査方向に２３３．５ｍｍと３２５．５ｍｍの位置に設置する。
【００１３】
前記読取部１４は図４で示すように、光源アレイ照明２０と、ライン方向に配置されたレンズアレイ２１と、照明された原稿の反射光を受光する受光素子２２を持ち、前記読取部１４を副走査方向に原稿台上の原稿と相対的に移動する手段を有する。
【００１４】
前記画像読取装置１の原稿サイズ検知方法の概略について説明する。
【００１５】
原稿サイズ検知の動作として、読取部１４を用いて主走査方向の原稿幅検知を実施する。主走査方向の原稿幅はＡＢ仕向けとＩＮＣＨ仕向けで１４０ｍｍ／１４８ｍｍ／１８２ｍｍ／２１０ｍｍ／２１６ｍｍ／２７９ｍｍ／２９７ｍｍの幅領域で対応する。主走査方向の原稿幅検知が終了した後、副走査方向の読取を実施し、最終的に原稿サイズを判定する。
【００１６】
まず主走査方向の原稿幅検知処理として、一般的な厚板の異なる開閉角度での読取データの差分により原稿幅を検知する処理について説明する。厚板の開閉角度を検知できる画像読取装置において図５のフローチャートで示すようにまず、Ｓ１０１で開閉角度が３０°を検知した場合、Ｓ１０２で読取部を原稿幅のエッヂを読み込み可能な位置まで移動し、読取データ（ａ）を取得する。次にＳ１０４で開閉角度０°のとき同じ位置の読取データ（ｂ）をＳ１０５で取得する。次にＳ１０６，Ｓ１０７の処理で開閉角度０°の時の読取データ（ａ）と開閉角度３０°の時の読取データ（ｂ）の差分から原稿幅を判定する。図６で示すように３０°と０°の時の読取データは厚板で読取部から照射した透過光の領域が変化するため差分が生じ、この差分から原稿幅を予測可能となる。１つの実施例として前記画像読取装置１で１４０ｍｍ／１４８ｍｍ／１８２ｍｍ／２１０ｍｍ／２１６ｍｍ／２７９ｍｍ／２９７ｍｍまでの幅領域を識別することができる。
【００１７】
次に副走査方向の原稿幅検知の動作について説明する。
【００１８】
図７の原稿サイズ検知フローチャートで示すように、まずＳ２０１で光源１１ａ及び１１ｂを点灯し、Ｓ２０２で読取部１４の読取動作を開始してＳ２０４で例えば光源１１ａの位置で原稿の有無を判別し、続いてＳ２０７で例えば光源１１ｂの位置で原稿の有無を判別する。原稿台１３に用紙が置かれた場合、その副走査方向の原稿サイズによって圧板側の光源１１ａ／１１ｂから照射される光が遮断／透過され光量が変化するため、その光量変化を読取部１４で読むことで原稿サイズ検知が可能となる。
【００１９】
Ｓ２０４及びＳ２０７で各光源の光量がある閾値以上であれば、光源の位置する場所に原稿がないと判断する。逆に光源の光量がある閾値以下であれば、原稿が設置されていると判断する。最後にＳ２１１で図８の原稿サイズ判定テーブルに従い、主走査方向の読み取り動作で検知した原稿幅と副走査方向の読み取り動作で検知した光源１１ａ／１１ｂの検知結果の組み合わせから原稿サイズを判定する。
【００２０】
次に副走査方向の原稿サイズ検知におけるキャリブレーションについて説明する。
【００２１】
副走査方向の原稿サイズ検知は厚板側の光源からの照射光を読取センサで読み取る構成であるため、原稿台にセットされた原稿が薄いなどの場合は照射された光が透過されてしまい、誤検知を起こす場合がある。それに備え電源ＯＮ時のキャリブレーションまたはユーザーの操作指示のもと副走査方向の原稿サイズ検知のキャリブレーションを実施できる。
【００２２】
まず一つの実施例として厚板側の光源の調光及び前記閾値の調整によりキャリブレーション実施する手段について説明する。
【００２３】
図９のフローチャートのようにＳ３０１でユーザーの操作指示のもとメンテナンス設定から副走査方向の原稿サイズ検知キャリブレーションに移行する。
【００２４】
Ｓ３０２では原稿台にセットした用紙サイズを操作入力する（ここでは光源１１ａ及び光源１１ｂの光が遮光されるＢ４またはＬＧＬ以上の大きさの用紙がセットされたことを想定している）。
【００２５】
Ｓ３０４で光源１１ａ／１１ｂを点灯し、Ｓ３０５で例えば光源１１ａを読取可能な位置まで読取部を移動し、Ｓ３０６，Ｓ３０７で原稿の有無を判別する。この時、指定した用紙が原稿台にセットされていれば光源１１ａの光は遮光され読取値は閾値以下になるはずだが、用紙が薄いなどの場合は光が透過し閾値以上の値になる場合がある。その際はＳ３０８で調光又は閾値の調整、もしくはその両方を実施し再度Ｓ３０７で閾値での判定を行う。調光した結果、読取値が閾値以上であれば正常終了（Ｓ３０９）する。
【００２６】
上記動作と同様に続いて読取部を移動し、Ｓ３１０で例えば光源１１ｂの値を取得する。Ｓ３１１で読取値が閾値以下であれば調光、閾値調整を実施（Ｓ３１２）し、閾値以上であれば正常終了（Ｓ３１３）する。
【符号の説明】
【００２７】
１１ａ，１１ｂ  光源、１２  ホワイトシート、１３  原稿台、１４  読取部、
１５  導光路、２０  光源アレイ照明、２１  レンズアレイ、２２  受光素子
【図１】
2020136975.tif 000003
【図２】
2020136975.tif 000004
【図３】
2020136975.tif 000005
【図４】
2020136975.tif 000006
【図５】
2020136975.tif 000007
【図６】
2020136975.tif 000008
【図７】
2020136975.tif 000009
【図８】
2020136975.tif 000010
【図９】
2020136975.tif 000011